(57)【特許請求の範囲】
【請求項１】
使用者により把持される把持部と、前後方向に対して左右方向に長い吸込口を床面に対向して開口するとともに前記把持部に連結される連結部を左右方向の中央部に有する吸込口体と、前記吸込口内に配されて床面上で後方に回転して摺動する回転ブラシとを備え、前記把持部を把持して前記吸込口体を移動させる電気掃除機において、前記吸込口体が前部の少なくとも両端部で接地する第１接地部と、前記吸込口の後方の中央部で接地する第２接地部と、第２接地部の後方で床面に接地する第３接地部とを有し、第２接地部が床面に垂直な第１回転軸で軸支される支持部と、床面に平行な第２回転軸で前記支持部に軸支して床面上を転動する車輪部とを有した自在車輪により形成されるとともに、
第１接地部及び第２接地部が接地した際に第３接地部が床面から離れ、第２接地部及び第３接地部が接地した際に前記回転ブラシが床面から離れる方向に移動することを特徴とする電気掃除機。
【請求項２】
前記連結部を前後に傾倒自在に設けるとともに、第１回転軸に対して径方向に離れて前記車輪部を配置し、前記車輪部が第１回転軸の回りに回動して前端に配される位置と後端に配される位置との間に前記連結部の回動中心を配したことを特徴とする請求項１に記載の電気掃除機。
【請求項３】
第１回転軸上または第１回転軸よりも前方に前記連結部の回動中心を配したことを特徴とする請求項２に記載の電気掃除機。
【請求項４】
第３接地部が前記車輪部よりも軸方向の幅が大きいローラーにより形成されることを特徴とする請求項１〜請求項３のいずれかに記載の電気掃除機。
【請求項５】
第１接地部が前記吸込口体の底面に貼着して前記吸込口の側方に配される起毛布から成ることを特徴とする請求項１〜請求項４のいずれかに記載の電気掃除機。
【発明の詳細な説明】
【技術分野】
【０００１】
本発明は、吸込口体に車輪を設けた電気掃除機に関する。
【背景技術】
【０００２】
従来の電気掃除機は特許文献１に開示されている。この電気掃除機は床面に面した吸込口が開口した吸込口体を備えている。吸込口体は使用者が把持する把持部に延長パイプを介して連結され、延長パイプはホースを介して電動送風機及び集塵部を設けた本体部に連結される。電動送風機の駆動によって吸込口から床面の塵埃を含む気流が本体部に流入し、集塵部の集塵によって塵埃を除去された空気が排気される。これにより、床面の掃除が行われる。
【０００３】
吸込口は前後方向に対して左右方向が長い略矩形に形成され、これに伴って吸込口体の底面は前後方向に対して左右方向が長い略矩形に形成される。この時、把持部と一体の延長パイプは吸込口の後方の中央部に連結される。また、吸込口体の底面には前部の左右端及び後部の左右端に自在車輪が設けられる。自在車輪は床面に垂直な第１回転軸及び床面に平行な第２回転軸で吸込口体に軸支され、床面上を転動する。これにより、床面上で吸込口体を前後方向及び左右方向に容易に移動させることができる。
【先行技術文献】
【特許文献】
【０００４】
【特許文献１】特許第２９８７８７８号公報（第２頁−第３頁、第１図）
【発明の概要】
【発明が解決しようとする課題】
【０００５】
しかしながら、上記従来の電気掃除機によると、吸込口体が左右の両端部に自在車輪が配され、把持部と一体の延長パイプを介して左右方向の中央部で床面に押さえつけられて移動する。このため、把持部から吸込口体に伝えられる力が左右方向で不均等になると、左右方向の一方の自在車輪が床面との摩擦力の低下によって第１回転軸の回りに回転しにくくなる。これにより、吸込口体が円滑に移動せず、電気掃除機の操作性が低下する問題があった。
【０００６】
本発明は、操作性を向上できる電気掃除機を提供することを目的とする。
【課題を解決するための手段】
【０００７】
上記目的を達成するために本発明は、使用者により把持される把持部と、前後方向に対して左右方向に長い吸込口を床面に対向して開口するとともに前記把持部に連結される連結部を左右方向の中央部に有する吸込口体とを備え、前記把持部を把持して前記吸込口体を移動させる電気掃除機において、前記吸込口体が前部の少なくとも両端部で接地する第１接地部と、前記吸込口の後方の中央部で接地する第２接地部とを有し、第２接地部が床面に垂直な第１回転軸で軸支される支持部と、床面に平行な第２回転軸で前記支持部に軸支して床面上を転動する車輪部とを有した自在車輪により形成されることを特徴としている。
【０００８】
この構成によると、使用者により把持部が把持され、吸込口体の第１接地部及び第２接地部が床面に接地する。把持部を前後方向及び左右方向に移動させると、第２接地部の車輪部が第１回転軸で回転して向きを変えるとともに第２回転軸で回転して床面上を転動する。これにより、吸込口体が前後方向及び左右方向に移動し、床面の塵埃が吸込口から吸い込まれて掃除が行われる。
【０００９】
また本発明は、上記構成の電気掃除機において、前記吸込口体が第２接地部の後方で床面に接地する第３接地部と、前記吸込口内に配されて床面上で後方に回転して摺動する回転ブラシとを備え、第１接地部及び第２接地部が接地した際に第３接地部が床面から離れ、第２接地部及び第３接地部が接地した際に前記回転ブラシが床面から離れる方向に移動することを特徴としている。
【００１０】
この構成によると、吸込口体の前進時には第１接地部及び第２接地部が接地して回転ブラシが床面に摺動する。吸込口体の後退時には第２接地部及び第３接地部が接地して回転ブラシが床面から離れる。
【００１１】
また本発明は、上記構成の電気掃除機において、前記連結部を前後に傾倒自在に設けるとともに、第１回転軸に対して径方向に離れて前記車輪部を配置し、前記車輪部が第１回転軸の回りに回動して前端に配される位置と後端に配される位置との間に前記連結部の回動中心を配したことを特徴としている。
【００１２】
この構成によると、吸込口体の前進時には車輪部が後端に配され、連結部の回動中心が車輪部と第１接地部との間に配される。これにより、第１接地部及び第２接地部を床面に容易に接地させることができる。吸込口体の後退時には車輪部が前端に配され、連結部の回動中心が車輪部と第３接地部との間に配される。これにより、第２接地部及び第３接地部を床面に容易に接地させることができる。
【００１３】
また本発明は、上記構成の電気掃除機において、第１回転軸上または第１回転軸よりも前方に前記連結部の回動中心を配したことを特徴としている。この構成によると、吸込口体を左右方向に移動させると、連結部の回動中心が車輪部と第１接地部との間に配される。これにより、第１接地部及び第２接地部を床面に容易に接地させることができる。
【００１４】
また本発明は、上記構成の電気掃除機において、第３接地部が前記車輪部よりも軸方向の幅が大きいローラーにより形成されることを特徴としている。この構成によると、吸込口体を後退時に安定して接地させることができる。
【００１５】
また本発明は、上記構成の電気掃除機において、第１接地部が前記吸込口体の底面に貼着して前記吸込口の側方に配される起毛布から成ることを特徴としている。
【発明の効果】
【００１６】
本発明によると、把持部に連結される連結部が吸込口体の左右方向の中央部に配されるとともに、吸込口体の前部の両端部で接地する第１接地部と、吸込口の後方の中央部で接地する第２接地部とを有し、第２接地部が第１回転軸及び第２回転軸を有する自在車輪により形成される。これにより、吸込口体を移動させる際に把持部から連結部を介して吸込口体の中央部に力が伝えられ、中央部に配した自在車輪を容易に第１回転軸の回りに回転させることができる。従って、吸込口体が円滑に移動し、電気掃除機の操作性を向上することができる。
【図面の簡単な説明】
【００１７】
【図１】本発明の実施形態の電気掃除機を示す斜視図
【図２】本発明の実施形態の電気掃除機の吸込口体の前進時の状態を示す側面断面図
【図３】本発明の実施形態の電気掃除機の吸込口体を示す分解斜視図
【図４】本発明の実施形態の電気掃除機の吸込口体の後退時の状態を示す側面断面図
【発明を実施するための形態】
【００１８】
以下に本発明の実施形態を図面を参照して説明する。図１は一実施形態の電気掃除機を示す斜視図である。電気掃除機１は電動送風機（不図示）を内装して電動送風機の上流に塵埃を捕集する集塵部（不図示）を配した本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１９】
本体部２の前面には可撓性のホース３が接続され、ホース３の先端には延長パイプ４が接続される。延長パイプ４の先端には吸込口１２（図２参照）を有した吸込口体１０が設けられる。また、ホース３の先端に把持部６及び操作部７が設けられる。使用者により把持部６を把持して吸込口体１０を移動し、操作部７の操作により掃除運転が実行される。
【００２０】
図２は吸込口体１０の前進時の状態を示す側面断面図であり、図３は吸込口体１０の底面から見た分解斜視図を示している。吸込口体１０は吸込口１２を有する吸気部１１ａと吸気部１１ａから後方に突出する突出部１１ｂとを有した樹脂成形品から成る筐体１１を備えている。床面Ｆに対向する吸込口１２は吸気部１１ａの底面の前部に開口する。吸込口１２は前後方向に対して左右方向が長い略矩形に形成され、これに伴って吸気部１１ａは前後方向に対して左右方向が長い略矩形に形成される。また、突出部１１ｂは吸気部１１ａの左右方向の中央部から後方に突出する。これにより、筐体１１は平面視略Ｔ字型に形成される。
【００２１】
筐体１１の前端には室内の壁面に当接するバンパー１５が取り付けられる。バンパー１５はポリエチレン等の軟質の樹脂により形成される。バンパー１５によって吸込口１２の前壁が形成される。バンパー１５の前面には左右の両端部に突起部１６が設けられる。突起部１６は低摩擦係数を有する樹脂をバンパー１５に貼着して形成される。低摩擦係数を有する樹脂として、ジュラコン（登録商標）等のポリアセタール樹脂（ＰＯＭ）、テフロン（登録商標）等のフッ素樹脂等を用いることができる。
【００２２】
突起部１６を左右の両端部に配することによって吸込口体１０と室内の壁面との接触面積を小さくして滑り性を向上させることができる。また、突起部１６を低摩擦係数を有する樹脂により形成して滑り性をより向上させることができる。従って、吸込口体１０を室内の壁面に沿って左右方向に容易に移動させることができる。
【００２３】
吸込口１２の内部には回転ブラシ１４が配される。回転ブラシ１４は矢印Ａに示すように床面Ｆ上で後方に向かう方向に回転して床面Ｆに摺動する。これにより、回転ブラシ１４は床面Ｆ上の塵埃を掻き上げて吸込口１２に導く。
【００２４】
筐体１１の吸込口１２の両側方には床面Ｆに接地される起毛布１７（第１接地部）が貼着される。起毛布１７によって床面Ｆとの摩擦を小さくして吸込口体１０を容易に移動させることができる。尚、起毛布１７を吸込口１２の前方に配してもよい。この時、起毛布１７を左右方向に延びる帯状に設けてもよい。即ち、起毛布１７は吸込口１２の前部の少なくとも両端部で接地していればよい。しかし、起毛布１７を吸込口１２の両側方に配置することにより、吸込口体１０の前端と吸込口１２との距離を小さくして室内の壁面に沿って残留する塵埃を低減することができる。
【００２５】
筐体１１の吸気部１１ａの後部には接地検知用車輪１９が配される。接地検知用車輪１９は上下方向に移動可能に設けられ、回転軸が左右方向に配される。接地検知用車輪１９は吸込口体１０が床面Ｆに接地されると上昇し、床面Ｆから離れると下降する。従って、接地検知用車輪１９により吸込口体１０の接地を検知し、接地検知用車輪１９が下降した際に回転ブラシ１４を停止して安全性を向上することができる。
【００２６】
筐体１１の突出部１１ｂの底面には床面Ｆ上を転動する自在車輪２０（第２接地部）が配される。これにより、自在車輪２０は吸込口１２の後方の中央部に配される。自在車輪２０は支持部２２、ベアリング２３、車輪部２４を有している。支持部２２は突出部１１ｂの底面に突出するシャフト２１に嵌合する嵌合孔２２ａを有し、シャフト２１の座面との間にベアリング２３を挟んで取り付けられる。車輪部２４は軸部２４ａを支持部２２に設けた軸孔２２ｂに嵌合して支持部２２に軸支される。
【００２７】
これにより、自在車輪２０はシャフト２１から成る床面Ｆに垂直な第１回転軸で回転するとともに、軸部２４ａから成る床面Ｆに平行な第２回転軸で回転する。また、車輪部２４はシャフト２１（第１回転軸）に対して径方向に離れて配される。このため、車輪部２４は所定の回転半径でシャフト２１の周囲を回動し、吸込口体１０の前進時に後端に配されて後退時に前端に配される。
【００２８】
筐体１１の突出部１１ｂには自在車輪２０の後方に床面Ｆ上を転動するローラー１８（第３接地部）が設けられる。ローラー１８は床面Ｆに平行な軸部１８ａで筐体１１に軸支される。この時、ローラー１８は起毛布１７と後端に配した車輪部２４とを床面Ｆに接地した際に床面Ｆから離れるように配置される。また、ローラー１８と前端に配した車輪部２４とを床面Ｆに接地した際に回転ブラシ１４が床面Ｆから離れるようにローラー１８が配置されている。尚、ローラー１８は車輪部２４よりも軸方向の幅が大きく形成され、ローラー１８の周面は両端で細くなるテーパ形状に形成される。
【００２９】
筐体１１の突出部１１ｂには延長パイプ４（図１参照）を挿通して連結される連結部１３が設けられる。連結部１３の前部の上面及び下面にはそれぞれ円筒面から成る摺動部１３ｃ、１３ｄが形成される。突出部１１ｂには摺動部１３ｃ、１３ｄにそれぞれ摺動する円筒面から成る案内部１１ｃ、１１ｄが形成される。
【００３０】
これにより、連結部１３は摺動部１３ｃ、１３ｄ及び案内部１１ｃ、１１ｄの中心を回動中心１３ａとして回動し、前後方向に傾倒自在になっている。従って、把持部６（図１参照）を把持した使用者が床面Ｆに対して延長パイプ４を所望の傾斜角度に配置して吸込口体１０を移動させることができる。
【００３１】
連結部１３の回動中心１３ａはシャフト２１により形成される車輪部２４の第１回転軸上または第１回転軸よりも前方に配される。これにより、回動中心１３ａは車輪部２４が吸込口体１０の後退時に前端に配される位置と吸込口体１０の前進時に後端に配される位置との間に配される。
【００３２】
上記構成の電気掃除機１において、使用者により把持部６を把持して移動させると、延長パイプ４を介して吸込口体１０が床面Ｆ上を移動する。床面Ｆ上の塵埃は吸込口１２から吸い込まれて床面Ｆの掃除が行われる。吸込口体１０の前進時には把持部６を前方に移動させるため連結部１３を介して吸込口体１０が前傾する。このため、図２に示すように、吸込口体１０は起毛布１７及び車輪部２４が床面Ｆに接地し、ローラー１８が床面Ｆから離れる。そして、床面Ｆ上を起毛布１７が摺動して車輪部２４が転動する。
【００３３】
この時、車輪部２４は後端位置に配され、起毛布１７と車輪部２４との間に連結部１３の回動中心１３ａが配される。これにより、吸込口体１０には連結部１３を介して起毛布１７と車輪部２４との間に床面Ｆに押しつけられる力が働くため、吸込口体１０を安定して移動させることができる。また、回転ブラシ１４は床面Ｆ上で後方に回転するため前進の推進力となり、吸込口体１０をスムーズに前進させることができる。
【００３４】
吸込口体１０の後退時には把持部６を後方に移動させるため連結部１３を介して吸込口体１０が後傾する。このため、図４に示すように、吸込口体１０は車輪部２４及びローラー１８が床面Ｆに接地し、起毛布１７及び回転ブラシ１４が床面Ｆから離れる方向に移動する。そして、床面Ｆ上を車輪部２４及びローラー１８が転動する。この時、車輪部２４は前端位置に配され、車輪部２４とローラー１８との間に連結部１３の回動中心１３ａが配される。
【００３５】
これにより、吸込口体１０には連結部１３を介して車輪部２４とローラー１８との間に床面Ｆに押しつけられる力が働くため、吸込口体１０を安定して移動させることができる。加えて、ローラー１８の軸方向の幅が車輪部２４よりも大きいため、吸込口体１０をより安定させることができる。また、回転ブラシ１４が床面Ｆから離れる方向に移動するため前進の推進力の負荷を回避し、吸込口体１０をスムーズに後退させることができる。更に、床面Ｆとの摺動による起毛布１７の摩耗を低減することができる。
【００３６】
吸込口体１０を室内の壁面に沿って左右方向に移動させる際には車輪部２４がシャフト２１の回りに回動して左右端に配される。連結部１３の回動中心１３ａは車輪部２４の第１回転軸上または第１回転軸よりも前方に配され、起毛布１７と左右端に配される車輪部２４との間に配される。これにより、吸込口体１０には連結部１３を介して起毛布１７と車輪部２４との間に床面Ｆに押しつけられる力が働くため、吸込口体１０を安定して移動させることができる。
【００３７】
吸込口体１０を後退しながら左右方向に移動させると、ローラー１８が床面Ｆ上を軸方向に摺動する。この時、ローラー１８の周面が両端で細くなるテーパ形状に形成されるため、床面Ｆとローラー１８との摩擦を低減して吸込口体１０を容易に移動させることができる。
【００３８】
尚、吸込口体１０には把持部６から延長パイプ４及び連結部１３を介して左右方向の中央部に力が伝えられる。このため、吸込口体１０の移動方向を変える際に左右方向の中央部に配した自在車輪２０が容易にシャフト２１の回りに回転し、吸込口体１０を円滑に移動させることができる。
【００３９】
本実施形態によると、把持部６に連結される連結部１３が吸込口体１０の左右方向の中央部に配されるとともに、吸込口体１０の前部の両端部で接地する起毛布１７（第１接地部）と、吸込口１２の後方の中央部で接地する自在車輪２０（第２接地部）とを有する。これにより、吸込口体１０を移動させる際に把持部６から連結部１３を介して吸込口体１０の左右方向の中央部に力が伝えられ、左右方向の中央部に配した自在車輪２０を容易にシャフト２１（第１回転軸）の回りに回転させることができる。従って、吸込口体１０が円滑に移動し、電気掃除機１の操作性を向上することができる。
【００４０】
また、起毛布１７（第１接地部）及び自在車輪２０（第２接地部）の車輪部２４が接地した際にローラー１８（第３接地部）が床面Ｆから離れ、車輪部２４及びローラー１８が接地した際に回転ブラシ１４が床面Ｆから離れる方向に移動する。このため、吸込口体１０の前進時に回転ブラシ１４の回転によってスムーズに移動させることができる。また、吸込口体１０の後退時に回転ブラシ１４の負荷を回避し、吸込口体１０をスムーズに移動させることができる。
【００４１】
また、シャフト２１（第１回転軸）に対して径方向に離れて車輪部２４を配置し、連結部１３の回動中心１３ａを車輪部２４の前端位置と後端位置との間に配したので、吸込口体１０の前進時に回動中心１３ａが起毛布１７と車輪部２４との間に配され、後退時に回動中心１３ａが車輪部２４とローラー１８との間に配される。従って、吸込口体１０を安定して前進及び後退させることができる。
【００４２】
また、シャフト２１から成る車輪部２４の第１回転軸上または第１回転軸よりも前方に連結部１３の回動中心１３ａを配したので、吸込口体１０の左右方向の移動時に回動中心１３ａが起毛布１７と車輪部２４との間に配される。従って、吸込口体１０を安定して左右方向に移動させることができる。
【００４３】
また、ローラー１８の軸方向の幅が車輪部２４よりも大きいので、吸込口体１０を後退時により安定させることができる。
【００４４】
また、ローラー１８の周面が両端で細くなるテーパ形状に形成されるので、吸込口体１０を後退させながら左右方向に移動させる際に床面Ｆとの摩擦を低減して吸込口体１０を容易に移動させることができる。
【００４５】
また、吸込口体１０の底面に貼着して吸込口１２の側方に配される起毛布１７が床面Ｆに接地するので、床面Ｆとの摩擦を低減して吸込口体１０を容易に移動させることができる。加えて、吸込口体１０の前端と吸込口１２との距離を小さくして室内の壁面に沿って残留する塵埃を低減することができる。
【００４６】
本実施形態において、吸込口体１０の中央部に近接する複数箇所に床面Ｆに接地される自在車輪２０を配してもよい。また、吸込口体１０の前部で床面Ｆに接地する第１接地部を起毛布１７により形成しているが、滑り性の高い低摩擦係数を有する樹脂等を筐体１１に貼着して第１接地部を形成してもよい。また、樹脂成形品の筐体１１の底面で接地して第１接地部を形成してもよい。
【産業上の利用可能性】
【００４７】
本発明によると、吸込口体に車輪を設けた電気掃除機に利用することができる。
【符号の説明】
【００４８】
１    電気掃除機
２    本体部
３    ホース
４    延長パイプ
６    把持部
７    操作部
１０    吸込口体
１１    筐体
１２    吸込口
１３    流出部
１４    回転ブラシ
１５    バンパー
１６    突起部
１７    起毛布
１８    ローラー
１８ａ  軸部
１９    接地検知用車輪
２０    自在車輪
２１    シャフト
２２    支持部
２２ａ  嵌合孔
２２ｂ  軸孔
２３    ベアリング
２４    車輪部
２４ａ  軸部
Ｆ    床面
【図１】
0005250084.tif 000002
【図２】
0005250084.tif 000003
【図３】
0005250084.tif 000004
【図４】
0005250084.tif 000005